(57)【要約】【課題】人体通信によりユーザに関する情報を取得する際に、情報の取得までの時間を短縮化し、煩雑な操作を不要とする。【解決手段】撮像システムでは、撮像装置１と、ユーザに関する情報を保持するデータ送受信機２とが人体通信を行う。撮像装置１は、該撮像装置１に対する所定の操作、例えばシャッターボタン１０１の半押しをトリガーとして、データ送受信機２から人体通信によりユーザに関する情報を取得し、取得したユーザに関する情報を撮影者情報として、撮影した画像データに撮影者情報を付加したり、撮影者情報に応じて格納フォルダを切り替えたりする。ユーザに関する情報の取得に失敗した場合でも撮影を可能とするモードと、ユーザに関する情報の取得に失敗した場合に撮影を不可とするモードとを有する。【選択図】図３
2015046825.tif 000002
【特許請求の範囲】
【請求項１】
撮像装置と、ユーザに関する情報を保持するデータ送受信機とが人体通信を行う撮像システムであって、
前記撮像装置は、該撮像装置に対する所定の操作をトリガーとして、前記データ送受信機から人体通信によりユーザに関する情報を取得する取得手段を備えたことを特徴とする撮像システム。
【請求項２】
ユーザに関する情報を保持するデータ送受信機と人体通信を行う撮像装置であって、
該撮像装置に対する所定の操作をトリガーとして、前記データ送受信機から人体通信によりユーザに関する情報を取得する取得手段を備えたことを特徴とする撮像装置。
【請求項３】
前記所定の操作は、撮影のための操作であることを特徴とする請求項２に記載の撮像装置。
【請求項４】
ユーザに関する情報の取得に失敗した場合でも撮影を可能とするモードと、ユーザに関する情報の取得に失敗した場合に撮影を不可とするモードとを有することを特徴とする請求項３に記載の撮像装置。
【請求項５】
撮影準備動作の開始を指示する半押しと、露光処理、現像処理、及び記録処理の一連の処理動作の開始を指示する全押しの操作が可能なシャッターボタンを備え、
前記所定の操作は、前記シャッターボタンの半押しであることを特徴とする請求項３又は４に記載の撮像装置。
【請求項６】
撮影準備動作の開始を指示する半押しと、露光処理、現像処理、及び記録処理の一連の処理動作の開始を指示する全押しの操作が可能なシャッターボタンを備え、
前記所定の操作は、前記シャッターボタンの全押しであることを特徴とする請求項３又は４に記載の撮像装置。
【請求項７】
前記撮影のための操作により連写撮影をする場合、撮影開始時にユーザに関する情報を取得した後、連写撮影中はユーザに関する情報の再取得を行わないことを特徴とする請求項３乃至６のいずれか１項に記載の撮像装置。
【請求項８】
前記所定の操作は、画像再生のための操作であることを特徴とする請求項２に記載の撮像装置。
【請求項９】
前記取得手段によるユーザに関する情報の取得の処理時間に制限を課すことを特徴とする請求項２乃至８のいずれか１項に記載の撮像装置。
【請求項１０】
前記所定の操作が繰り返された場合、最初の前記所定の操作をトリガーとして開始されたユーザに関する情報の取得を中断することなく継続することを特徴とする請求項２乃至９のいずれか１項に記載の撮像装置。
【請求項１１】
前記取得手段によりユーザに関する情報を取得した後、一定時間内は前記データ送受信機と人体通信により確認用通信を行うことを特徴とする請求項２乃至１０のいずれか１項に記載の撮像装置。
【請求項１２】
前記取得手段により取得したユーザに関する情報を表示部に表示する手段を備えたことを特徴とする請求項２乃至１１のいずれか１項に記載の撮像装置。
【請求項１３】
前記取得手段によるユーザに関する情報の取得中、取得成功、取得失敗のうち少なくとも１つの状況を表示部に表示する手段を備えたことを特徴とする請求項２乃至１２のいずれか１項に記載の撮像装置。
【請求項１４】
前記所定の操作のための操作部に人体通信用電極が配置されていることを特徴とする請求項２乃至１３のいずれか１項に記載の撮像装置。
【請求項１５】
ユーザに関する情報を保持するデータ送受信機と人体通信を行う撮像装置の制御方法であって、
前記撮像装置は、該撮像装置に対する所定の操作をトリガーとして、前記データ送受信機から人体通信によりユーザに関する情報を取得することを特徴とする撮像装置の制御方法。
【請求項１６】
ユーザに関する情報を保持するデータ送受信機と人体通信を行う撮像装置を制御するためのプログラムであって、
該撮像装置に対する所定の操作をトリガーとして、前記データ送受信機から人体通信によりユーザに関する情報を取得する処理をコンピュータに実行させるためのプログラム。
【発明の詳細な説明】
【技術分野】
【０００１】
本発明は、撮像装置と、ユーザに関する情報を保持するデータ送受信機とが人体通信を行う撮像システム、撮像装置、その制御方法及びプログラムに関する。
【背景技術】
【０００２】
従来、デジタルカメラ等の撮像装置におけるユーザ毎の設定は、ユーザが撮像装置の操作部を操作することで行う必要があった。
これに対して、撮像装置がユーザの人体を介してユーザが携帯する通信機器と通信（人体通信）を行うことで、撮像装置の自動設定やセキュリティ向上を図る技術が提案されている。
例えば特許文献１には、デジタルカメラの制御部は、人体通信モジュールによって認証装置から受信される認証データに基づいたユーザ認証の結果に応じて、デジタルカメラが有する複数の機能内の少なくとも１つの機能に係る設定を行う構成が開示されている。
【先行技術文献】
【特許文献】
【０００３】
【特許文献１】特開２００７−２８１７５５号公報
【発明の概要】
【発明が解決しようとする課題】
【０００４】
しかしながら、特許文献１には、人体通信により情報を取得する具体的なタイミングに関する開示はない。例えば撮影時に情報を取得したい場合に、撮影が終わった後に人体通信により情報を取得するのでは、撮影開始から情報の取得までに時間がかかってしまう。また、撮影のための操作とは別の操作により人体通信により情報を取得するのでは、操作が煩雑になってしまう。このように情報の取得までに時間がかかったり、操作が煩雑になったりすることが、情報の取得の成功率の低下、信頼性の低下につながることもある。また、特許文献１には、情報の取得に失敗したときの挙動についても開示はない。
【０００５】
本発明は上記のような点に鑑みてなされたものであり、人体通信によりユーザに関する情報を取得する際に、情報の取得までの時間を短縮化し、煩雑な操作を不要とすることを目的とする。
【課題を解決するための手段】
【０００６】
本発明は、撮像装置と、ユーザに関する情報を保持するデータ送受信機とが人体通信を行う撮像システムであって、前記撮像装置は、該撮像装置に対する所定の操作をトリガーとして、前記データ送受信機から人体通信によりユーザに関する情報を取得する取得手段を備えたことを特徴とする。
【発明の効果】
【０００７】
本発明によれば、人体通信によりユーザに関する情報を取得する際に、情報の取得までの時間を短縮化し、煩雑な操作を不要とすることができる。これにより、ユーザに関する情報の取得の成功率、信頼性を高くすることができる。
【図面の簡単な説明】
【０００８】
【図１】第１の実施形態を係る撮像システムの構成を示す図である。
【図２】第１の実施形態を係る撮像装置の外観を示す図である。
【図３】第１の実施形態に係る撮像装置１の構成を示すブロック図である。
【図４】第１の実施形態に係るデータ送受信機の構成を示すブロック図である。
【図５】撮像装置における設定項目を示す図である。
【図６】第１の実施形態に係る撮像装置の「レリーズ優先モード」における処理を示すフローチャートである。
【図７】第１の実施形態に係る撮像装置の「レリーズ優先モード」における処理を示すシーケンス図である。
【図８】第１の実施形態に係る撮像装置の「撮影者情報取得優先モード」における処理を示すフローチャートである。
【図９】第１の実施形態に係る撮像装置の「撮影者情報取得優先モード」における処理を示すシーケンス図である。
【図１０】第１の実施形態に係る撮像装置の「撮影者情報取得優先モード」の応用例における処理を示すフローチャートである。
【図１１】第１の実施形態に係る撮像装置の「撮影者情報取得優先モード」の応用例における処理を示すシーケンス図である。
【図１２】第１の実施形態に係る撮像装置の「撮影者情報取得優先モード」の応用例における処理を示すシーケンス図である。
【図１３】第１の実施形態に係る撮像装置の「レリーズ優先モード」及び「撮影者情報取得優先モード」の応用例における処理を示すシーケンス図である。
【図１４】アイコンの表示例を示す図である。
【図１５】アイコン及び撮影者情報の表示例を示す図である。
【図１６】第１の実施形態に係る撮像装置の「レリーズ優先モード」における処理、並びに表示内容を示すシーケンス図である。
【図１７】第２の実施形態に係る撮像装置の処理を示すフローチャートである。
【図１８】第２の実施形態に係る撮像装置の処理を示すシーケンス図である。
【図１９】アイコン及び閲覧者情報の表示例を示す図である。
【図２０】第２の実施形態に係る撮像装置の処理、並びに表示内容を示すシーケンス図である。
【発明を実施するための形態】
【０００９】
以下、添付図面を参照して、本発明の好適な実施形態について説明する。
（第１の実施形態）
図１は、第１の実施形態に係る撮像システムの構成を示す図である。撮像装置１と、ユーザが携帯するデータ送受信機２とを備える。データ送受信機２は、カードタイプや腕時計タイプ等、ユーザが携帯できるものとなっている。撮像装置１とデータ送受信機２とは人体通信用の電極を備えており、相互に人体を介した通信（人体通信）によりデータの送受信が可能となっている。
【００１０】
第１の実施形態において、撮影時に、撮像装置１は、ユーザが携帯するデータ送受信機２から、人体通信により該データ送受信機２が保持する氏名等のユーザに関する情報を取得する。そして、取得したユーザに関する情報を撮影者情報とし、この撮影者情報を用いて画像データを記録する。具体的には、撮影した画像データに撮影者情報を付加したり、撮影者情報に応じて格納フォルダを切り替えたりする等の機能を提供する。一台の撮像装置を複数のユーザが使用する場合、自動で撮影者情報を設定することが可能である。
【００１１】
図２は、第１の実施形態を係る撮像装置１の外観を示す図である。撮像装置１は、レンズ交換式の一眼レフデジタルカメラである。図２（ａ）は撮像装置１の正面側の斜視図、図２（ｂ）は背面側の斜視図である。
撮像装置１は、シャッターボタン１０１、人体通信用電極１０２、１０３、再生ボタン１０４を備える。シャッターボタン１０１の半押しにより撮影準備動作が開始され、全押しにより露光処理、現像処理、及び記録処理の一連の処理動作が開始される。人体通信用電極１０２、１０３は、グリップ部等、撮影者が通常触れる部位に配置され、この電極１０２、１０３を使用することで人体通信が可能となっている。再生ボタン１０４の押下により、撮影した画像が再生されて、撮像装置１上のモニタに表示される。
第１の実施形態においては、人体通信用電極は、グリップ部以外、例えばシャッターボタン１０１に配置してもよい。撮影時にシャッターボタン１０１に触れている人物が撮影者である可能性が極めて高いからである。
【００１２】
図３は、第１の実施形態に係る撮像装置１の構成を示すブロック図である。撮像装置１は、カメラ本体１００と、レンズユニット３００と、記録媒体２００とにより構成される。
シャッター１２は、撮像素子１４の露光量を制御する開閉機構である。撮像素子１４は、ＣＭＯＳ型やＣＣＤ型等のイメージセンサで構成され、光学像を電気信号に変換する。レンズユニット３００内の撮影レンズに入射した光線は、レンズマウント１０６、ミラー１３０及びシャッター１２を通じて一眼レフ方式により導かれた撮像素子１４上に光学像として結像する。
【００１３】
Ａ／Ｄ変換器１６は、撮像素子１４から出力されるアナログ信号をディジタル信号に変換する。タイミング発生部１８は、メモリ制御部２２及びシステム制御部５０によって制御され、撮像素子１４、Ａ／Ｄ変換器１６及びＤ／Ａ変換器２６に対して、これらの動作タイミングを規定するクロック信号や制御信号等のタイミング信号を供給する。
画像処理部２０は、Ａ／Ｄ変換器１６からのデータ或いはメモリ制御部２２からのデータに対して所定の画素補間処理や色変換処理を行う。画像処理部２０は、撮像された画像データを用いて所定の演算処理を行う。システム制御部５０は、シャッター制御部４０及び測距制御部４２を制御するためのＴＴＬ（スルー・ザ・レンズ）方式のＡＦ（オートフォーカス）処理、ＡＥ（自動露出）処理及びＥＦ（ストロボ調光）処理を行う。また、画像処理部２０は、撮像された画像データを用いて所定の演算処理を行い、得られた演算結果に基づいてＴＴＬ方式のＡＷＢ（オートホワイトバランス）処理を行う。
【００１４】
メモリ制御部２２は、Ａ／Ｄ変換器１６、タイミング発生部１８、画像処理部２０、画像表示メモリ２４、Ｄ／Ａ変換器２６、メモリ３０及び圧縮・伸長部３２を制御する。Ａ／Ｄ変換器１６からのデータは、画像処理部２０及びメモリ制御部２２を介して、或いは直接、メモリ制御部２２を介して画像表示メモリ２４或いはメモリ３０に書き込まれる。画像表示メモリ２４に書き込まれた表示用の画像データは、Ｄ／Ａ変換器２６を介して、ＴＦＴ方式のＬＣＤからなる画像表示部２８に表示される。撮像された画像データを画像表示部２８で逐次表示する場合、電子ファインダ機能を実現することが可能である。また、画像表示部２８は、システム制御部５０の指示に従って表示のＯＮ／ＯＦＦを任意に行うことが可能である。
メモリ３０は、撮影した静止画像や動画像のデータを格納する。メモリ３０は、所定枚数の静止画像や所定時間の動画像のデータを格納するのに十分な記憶容量を有する。また、メモリ３０は、システム制御部５０の作業領域としても使用することが可能である。圧縮・伸長部３２は、適応離散コサイン変換（ＡＤＣＴ）等により画像データを圧縮伸長する。圧縮・伸長部３２は、メモリ３０に格納された画像を読み込んで圧縮処理或いは伸長処理を行い、処理を終えたデータをメモリ３０に書き込む。
【００１５】
シャッター制御部４０は、測光制御部４７からの測光情報に基づいてレンズユニット３００内の絞りを制御する不図示の制御部と連携しながらシャッター１２を制御する。
測距制御部４２は、ＡＦ処理を行うための測距手段である。測距制御部４２は、レンズユニット３００から入射した光線を、レンズマウント１０６、ミラー１３０及び不図示の測距用サブミラーを介して一眼レフ方式で入射することにより、光学像として結像された画像の合焦状態を測定する。
測光制御部４７は、ＡＥ処理を行うための測光手段である。測光制御部４７は、レンズユニット３００から入射した光線を、レンズマウント１０６、ミラー１３０及び測光用サブミラーを介して一眼レフ方式で入射することにより、光学像として結像された画像の露出状態を測定する。測光制御部４７は、ストロボ４８と連携することにより、ＥＦ処理機能も有する。
ストロボ４８は、ＡＦ補助光の投光機能及びストロボ調光機能を有する。また、ストロボ４８は、不図示のストロボ充電部を有する。
【００１６】
システム制御部５０は、周知のＣＰＵ等を内蔵しており、撮像装置１全体を制御する。メモリ５２は、システム制御部５０の動作用の定数、変数、プログラム等を記憶する。
表示部５４は、システム制御部５０でのプログラムの実行に応じて、文字、画像、音声等で動作状態やメッセージ等を表示する液晶表示装置、スピーカ等を有し、カメラ本体１００の操作部近辺の視認し易い単数或いは複数箇所に設置されている。表示部５４は、ＬＣＤ、ＬＥＤ、発音素子等の組み合わせにより構成される。また、表示部５４の一部の機能は光学ファインダ１０８内に設けられている。
不揮発性メモリ５６は、プログラム等が格納された電気的に消去・記録可能な記憶手段であり、不揮発性メモリとしてＥＥＰＲＯＭ等が用いられる。この不揮発性メモリ５６には、各種パラメータやＩＳＯ感度等の設定値、設定モード、及び各種補正データ等が格納される。
【００１７】
６０、６２、６４、６６、６９及び７０は、システム制御部５０の各種動作指示を入力するための操作部であり、スイッチ、ダイヤルで構成される。なお、これらはタッチパネルを用いた構成としてもよい。
モードダイアルスイッチ６０は、各種撮影モードを設定するためのスイッチである。
シャッタースイッチ（ＳＷ１）６２は、シャッターボタン１０１の操作途中（半押し）でＯＮとなり、ＡＦ処理、ＡＥ処理、ＡＷＢ処理、ＥＦ処理の撮影準備動作の開始を指示し、後述する人体通信による撮影者情報の取得処理のトリガーとなるスイッチである。シャッタースイッチ（ＳＷ２）６４は、シャッターボタン１０１の操作完了（全押し）でＯＮとなり、露光処理、現像処理、及び記録処理という一連の処理動作の開始を指示するためのスイッチである。露光処理では、撮像素子１４から読み出した信号をＡ／Ｄ変換器１６、メモリ制御部２２を介してメモリ３０に画像データを書き込む。現像処理では、画像処理部２０やメモリ制御部２２での演算を用いた処理を行う。記録処理では、メモリ３０から画像データを読み出し、圧縮・伸長部３２で圧縮を行い、記録媒体２００に画像データを書き込む。
再生スイッチ６６は、撮影モード状態で撮影した画像をメモリ３０或いは記録媒体２００から読み出して画像表示部２８に表示する再生動作の開始を指示するためのスイッチである。
ＩＳＯ感度設定スイッチ６９は、撮像素子１４或いは画像処理部２０におけるゲインの設定を変更することによりＩＳＯ感度を設定するためのスイッチである。
操作部７０は、各種ボタンやタッチパネル等からなる。操作部７０は、メニューボタン、セットボタン、マクロボタン、マルチ画面再生改ページボタン、ストロボ設定ボタン、単写／連写／セルフタイマ切替ボタン、メニュー移動＋（プラス）ボタン、メニュー移動−（マイナス）ボタンを備える。また、再生画像移動＋ボタン、再生画像−ボタン、撮影画質選択ボタン、露出補正ボタン、日付／時間設定ボタン、パノラマモード等の撮影及び再生を実行する際に各種機能の選択及び切り替えを設定する選択／切り替えボタンを備える。また、パノラマモード等の撮影及び再生を実行する際に各種機能の決定及び実行を設定する決定／実行ボタン、画像表示部２８のＯＮ／ＯＦＦを設定する画像表示ＯＮ／ＯＦＦスイッチを備える。また、撮影直後に撮影した画像データを自動再生するクイックレビュー機能を設定するクイックレビューＯＮ／ＯＦＦスイッチを備える。また、ＪＰＥＧ圧縮の圧縮率を選択するため、或いは撮像素子１４の信号をそのままディジタル化して記録媒体に記録するＲＡＷモードを選択するためのスイッチである圧縮モードスイッチを備える。また、再生モード、マルチ画面再生・消去モード、ＰＣ（パーソナルコンピュータ）接続モード等の各機能モードを設定可能な再生スイッチ、ＡＦモード設定スイッチ等を備える。ＡＦモード設定スイッチでは、ＳＷ１（６２）がＯＮになった際にオートフォーカス動作を開始して合焦状態を保ち続けるワンショットＡＦモードと、ＳＷ１（６２）がＯＮの間、連続してオートフォーカス動作を続けるサーボＡＦモードとが設定可能である。また、上記プラスボタン及びマイナスボタンの各機能は、回転ダイアルスイッチを備えることによって、より軽快に数値や機能を選択することが可能となる。
電源スイッチ７２は、カメラ本体１００の電源ＯＮ／ＯＦＦの各モードを切り替え設定可能である。また、カメラ本体１００に接続されたレンズユニット３００、外部ストロボ、記録媒体２００等の各種付属装置の電源ＯＮ／ＯＦＦの設定も合わせて切り替え設定可能である。
【００１８】
電源制御部８０は、電池検出部、ＤＣ−ＤＣコンバータ、通電するブロックを切り替えるスイッチ等により構成されており、電池の装着の有無、電池の種類、電池残量の検出を行う。そして、その検出結果及びシステム制御部５０の指示に基づいてＤＣ−ＤＣコンバータを制御し、必要な電圧を必要な期間、記録媒体を含む各部に供給する。
【００１９】
インターフェース９０は、記録媒体２００とのインターフェースである。コネクタ９１は、記録媒体２００との接続を行うコネクタである。記録媒体着脱検知部９８は、コネクタ９１に記録媒体２００が装着されているか否かを検知する。
【００２０】
光学ファインダ１０８は、レンズユニット３００から入射した光線を、一眼レフ方式によってレンズマウント１０６、ミラー１３０、１３２を介して導き、光学像として結像させて表示する。これにより、画像表示部２８による電子ファインダ機能を使用することなく、光学ファインダ１０８だけを用いて撮影を行うことが可能である。ミラー１３２はクイックリターンミラーの構成にしてもハーフミラーの構成にしてもどちらでもよい。また、光学ファインダ１０８内には、表示部５４の一部の機能、例えば、合焦表示、手振れ警告表示、ストロボ充電表示、シャッタースピード表示、絞り値表示、露出補正表示等が設けられている。
【００２１】
人体通信部１１０は、人体通信機能を有するモジュールであり、システム制御部５０の指示に基づいて、他の人体通信機能を有する機器と人体通信を行う。
【００２２】
インターフェース１２０は、レンズマウント１０６内でカメラ本体１００をレンズユニット３００と接続する。コネクタ１２２は、カメラ本体１００をレンズユニット３００と電気的に接続する。レンズ着脱検知部４６は、カメラ本体１００にレンズユニット３００が装着されているか否かを検知する。コネクタ１２２は、カメラ本体１００とレンズユニット３００との間で制御信号、状態信号、データ信号等を伝え合うとともに、各種電圧の電流を供給する機能も備える。また、コネクタ１２２は、電気通信だけでなく、光通信、音声通信等を伝達する構成としてもよい。本実施形態では、レンズユニット３００からカメラ本体１００に伝達されるデータ信号には、レンズユニット３００内のアクチュエータ駆動周波数情報が含まれる。
【００２３】
記録媒体２００は、メモリカードやハードディスク等からなり、半導体メモリや磁気ディスク等から構成される記録部、カメラ本体１００とのインターフェース、及びカメラ本体１００との接続を行うコネクタを備える。
【００２４】
レンズユニット３００は、交換レンズタイプのレンズユニットである。レンズユニット３００は、レンズマウント、コネクタ、撮影レンズ、絞り、絞り制御部、ピント制御部、ズーム制御部、レンズシステム制御部、手ブレ検知・制御部、及びインターフェースを備える。
【００２５】
図４は、第１の実施形態に係るデータ送受信機２の構成を示すブロック図である。データ送受信機２は、制御部４０１、メモリ４０２、通信部４０３、人体通信部４０４を備える。
制御部４０１は、データ送受信機全体を制御する。
メモリ４０２は、氏名等のユーザに関する情報を格納し、制御部４０１の指示に基づいて情報の読み書きを行う。
通信部４０３は、ＵＳＢ、無線通信等の通信機能を有し、メモリ４０２に格納される情報を書き換えるための通信を外部と行う機能を提供する。
人体通信部１１０は、人体通信機能を有するモジュールであり、制御部４０１の指示に基づいて、他の人体通信機能を有する機器と人体通信を行う。
【００２６】
以下、第１の実施形態に係る撮像システムにおける、人体通信による撮影者情報の取得処理について説明する。
図５に、人体通信による撮影者情報の取得に際して、撮像装置１における設定項目を示す。これらの設定項目は、撮像装置１のメニュー画面等においてユーザが設定する。
まず、撮影時に人体通信による撮影者情報の取得を行うか否か（ＯＮ/ＯＦＦ）を設定する項目を設ける。
ここで撮影時に人体通信による撮影者情報の取得を行う設定（ＯＮ）にした場合、動作モードとして「レリーズ優先モード（撮影優先モード）」、「撮影者情報取得優先モード」のいずれかを選択する。この動作モードは、人体通信による撮影者情報の取得時の動作を設定するものである。「レリーズ優先モード」は、撮影時に人体通信による撮影者情報の取得に失敗した場合でも撮影を可能とするモードである。撮影者情報の取得に失敗した場合、画像データの記録に用いる撮影者情報は、予め従来の方式で設定されたもの、例えば不揮発性メモリ５６に格納されている情報を用いる。もしくは、情報取得失敗を示す情報を用いてもよい。「撮影者情報取得優先モード」は、撮影時に人体通信による撮影者情報の取得に失敗した場合に撮影を不可とするモードである。撮影者に応じた撮像装置の使用制限等、セキュリティ機能の向上に応用することが可能である。
【００２７】
次に、各動作モードにおける撮像装置１の処理の詳細について説明する。
図６は、撮像装置１の「レリーズ優先モード」における処理を示すフローチャートである。図６のフローチャートに示す処理は、撮像装置１のシステム制御部５０がプログラムを実行することにより実現される。
システム制御部５０は、シャッターボタン１０１の半押しによりＳＷ１（６２）がＯＮになったことを検知すると（ステップＳ１０１）、人体通信による撮影者情報の取得処理を開始する（ステップＳ１０２）。
次に、システム制御部５０は、シャッターボタン１０１の全押しによりＳＷ２（６４）がＯＮになったことを検知すると（ステップＳ１０３）、露光・現像処理を行う（ステップＳ１０４）。
その後、システム制御部５０は、撮影者情報の取得が完了しているか否かを判定する（ステップＳ１０５）。撮影者情報の取得が完了している場合、生成された画像データの記録処理を行う（ステップＳ１０９）。撮影者情報の取得が完了していない場合、撮影者情報取得用のタイマーを起動する（ステップＳ１０６）。タイマー起動後、撮影者情報の取得が完了しているか否かを判定し（ステップＳ１０７）、完了している場合、生成された画像データの記録処理を行う（ステップＳ１０９）。タイマー起動後、撮影者情報の取得が完了せずにタイムアウトした場合（ステップＳ１０８）、撮影者情報の取得を行わず、生成された画像データの記録処理を行う（ステップＳ１０９）。
【００２８】
図７は、撮像装置１の「レリーズ優先モード」における処理を示すシーケンス図である。図７に示すシーケンス図は、分かり易くするために、撮像装置１における撮影時の処理を、露光・現像処理、記録処理、撮影者情報の取得処理の３つに分けて記載している。なお、本シーケンス図の縦方向は時間軸を表しており、上から下に向かって処理が実行されることを意味する。例えばＳＷ１（６２）がＯＮになった後に、ＳＷ２（６４）がＯＮになることを意味している。
露光・現像処理では、撮像素子１４、Ａ／Ｄ変換器１６、メモリ制御部２２、メモリ３０、像処理部２０を制御し一連の露光処理、現像処理を行う。露光・現像処理は、ＳＷ２（６４）がＯＮになったときに開始される。
記録処理では、メモリ３０、圧縮・伸長部３２を制御し、生成された画像データを記録媒体２００に記録する。記録処理は、一連の露光・現像処理後に続いて、或いは露光・現像処理後にタイムアウトになる前に撮影者情報の取得が完了したときに開始される。
撮影者情報の取得処理では、人体通信部１１０を制御し、撮影者が携帯するデータ送受信機２から撮影者情報を取得する。撮影者情報の取得処理は、ＳＷ１（６２）がＯＮになったときに開始される。人体通信による撮影者情報の取得に要する処理時間は、通信確立処理の実施や、撮影者の人体通信機器との接触状況、人体通信モジュールの性能等により様々な長さとなることが考えられる。
【００２９】
図７（ａ）の例では、ＳＷ２（６４）がＯＮになったとき、既に撮影者情報の取得が完了している。この場合、露光・現像処理が完了すると、画像データの記録処理を開始する。その際、撮影した画像データに撮影者情報を付加したり、撮影者情報に応じて格納フォルダを切り替えたりする。
【００３０】
図７（ｂ）、（ｃ）、（ｄ）の例では、ＳＷ２（６４）がＯＮになったとき、まだ撮影者情報の取得が完了していない。
図７（ｂ）の例では、露光・現像処理が完了したときに、撮影者情報の取得が完了しているので、取得した撮影者情報を用いて画像データの記録処理を行う。
図７（ｃ）の例では、露光・現像処理が完了したときに、まだ撮影者情報の取得が完了していない。この場合、露光・現像処理が完了したタイミングで撮影者情報取得用のタイマーを起動する。タイムアウトになる前に撮影者情報の取得が完了しているので、取得した撮影者情報を用いて画像データの記録処理を行う。
図７（ｄ）の例では、露光・現像処理が完了したときに、まだ撮影者情報の取得が完了していない。この場合、露光・現像処理が完了したタイミングで撮影者情報取得用のタイマーを起動する。撮影者情報が取得できずにタイムアウトしているので、予め従来の方式で設定されたもの、例えば不揮発性メモリ５６に格納されている情報を用いて画像データの記録処理を行う。もしくは、情報取得の失敗を示す情報を用いてもよい。
なお、撮影者情報の取得に成功した場合、不揮発性メモリ５６に格納されている撮影者情報を更新するようにしてもよい。
【００３１】
ＳＷ１（６２）がＯＮになったときに撮像装置１に触れている人物が撮影者である可能性は極めて高い。したがって、ＳＷ１（６２）がＯＮになったときに撮影者情報の取得処理を開始することで、撮影者情報を的確に取得することが可能である。
また、撮影者情報の取得処理の開始を、露光・現像処理の後で行うよりも、ＳＷ１（６２）がＯＮになったときに行うことで、露光・現像処理の開始から撮影者情報の取得処理が完了するまでに要する時間は短くなる。したがって、撮影直後に撮影者が撮像装置１を手放した場合に発生する取得失敗の可能性は低くなる。
さらに、露光・現像処理が完了したときに、まだ撮影者情報の取得が完了していない場合はタイマーを起動することで、撮影者情報の取得が不可能な場合でも撮影することが可能である。
【００３２】
図８は、撮像装置１の「撮影者情報取得優先モード」における処理を示すフローチャートである。図８のフローチャートに示す処理は、撮像装置１のシステム制御部５０がプログラムを実行することにより実現される。
システム制御部５０は、シャッターボタン１０１の半押しによりＳＷ１（６２）がＯＮになったことを検知すると（ステップＳ２０１）、人体通信による撮影者情報の取得処理を開始する（ステップＳ２０２）。
次に、システム制御部５０は、シャッターボタン１０１の全押しによりＳＷ２（６４）がＯＮになったことを検知すると（ステップＳ２０３）、撮影者情報の取得が完了しているか否かを判定する（ステップＳ２０４）。撮影者情報の取得が完了している場合、露光・現像処理を行い（ステップＳ２０８）、生成された画像データの記録処理を行う（ステップＳ２０９）。撮影者情報の取得が完了していない場合、撮影者情報取得用のタイマーを起動する（ステップＳ２０５）。タイマー起動後、撮影者情報の取得が完了しているか否かを判定し（ステップＳ２０６）、完了している場合、露光・現像処理を行い（ステップＳ２０８）、生成された画像データの記録処理を行う（ステップＳ２０９）。タイマー起動後、撮影者情報の取得が完了せずにタイムアウトした場合（ステップＳ２０７）、露光・現像処理、画像データの記録処理は行わない。
【００３３】
図９は、撮像装置１の「撮影者情報取得優先モード」における処理を示すシーケンス図である。図７のシーケンス図と同様に、撮像装置１における撮影時の処理を、露光・現像処理、記録処理、撮影者情報の取得処理の３つに分けて記載し、縦方向は時間軸を表している。
【００３４】
図９（ａ）の例では、ＳＷ２（６４）がＯＮになったとき、既に撮影者情報の取得が完了している。この場合、「レリーズ優先モード」と同様に、露光・現像処理が完了すると、画像データの記録処理を開始する。その際、撮影した画像データに撮影者情報を付加したり、撮影者情報に応じて格納フォルダを切り替えたりする。
【００３５】
図９（ｂ）、（ｃ）の例では、ＳＷ２（６４）がＯＮになったとき、まだ撮影者情報の取得が完了していない。この場合、ＳＷ２（６４）がＯＮになったタイミングで撮影者情報取得用のタイマーを起動する。
図９（ｂ）の例では、タイムアウトになる前に撮影者情報の収録が完了しているので、そのタイミングから露光・現像処理を開始し、露光・現像処理が完了すると、画像データの記録処理を開始する。その際、撮影した画像データに撮影者情報を付加したり、撮影者情報に応じて格納フォルダを切り替えたりする。
図９（ｃ）の例では、撮影者情報が取得できずにタイムアウトしている。この場合、撮影者情報が取得できなかったために、露光・現像処理、画像データの記録処理は行わない。
このように「撮影者情報取得優先モード」は、撮影時に人体通信による撮影者情報の取得が完了するまで撮影を行わないように制御することで、撮影者に応じた撮像装置の使用制限等、セキュリティ機能の向上に応用することが可能である。
【００３６】
以上、「レリーズ優先モード」「撮影者情報取得優先モード」のパターンの一例について説明した。
以下、応用例として他のパターンについて説明する。
応用例として、「撮影者情報取得優先モード」において、ＳＷ１（６２）がＯＮになったとき、すなわち撮影者情報の取得処理の開始時にタイマーを起動するようにしてもよい。
図１０は、撮像装置１の「撮影者情報取得優先モード」における処理を示すフローチャートである。図１０のフローチャートに示す処理は、撮像装置１のシステム制御部５０がプログラムを実行することにより実現される。
システム制御部５０は、シャッターボタン１０１の半押しによりＳＷ１（６２）がＯＮになったことを検知すると（ステップＳ３０１）、人体通信による撮影者情報の取得処理を開始し（ステップＳ３０２）、撮影者情報取得用のタイマーを起動する（ステップＳ３０３）。タイマー起動後、撮影者情報の取得が完了しているか否かを判定し（ステップＳ３０４）、完了している場合、システム制御部５０は、シャッターボタン１０１の全押しによりＳＷ２（６４）がＯＮになったことを検知すると（ステップＳ３０６）、露光・現像処理を行い（ステップＳ３０７）、生成された画像データの記録処理を行う（ステップＳ３０８）。タイマー起動後、撮影者情報の取得が完了せずにタイムアウトした場合（ステップＳ３０５）、ＳＷ２（６４）の検知、露光・現像処理、画像データの記録処理は行わない。
【００３７】
図１１は、ＳＷ１（６２）がＯＮになったときにタイマーを起動する場合の撮像装置１の「撮影者情報取得優先モード」における処理を示すシーケンス図である。図７のシーケンス図と同様に、撮像装置１における撮影時の処理を、露光・現像処理、記録処理、撮影者情報の取得処理の３つに分けて記載し、縦方向は時間軸を表している。
撮影者情報の取得処理は、ＳＷ１（６２）がＯＮになったときに開始され、同時に撮影者情報取得用のタイマーを起動する。
【００３８】
図１１（ａ）の例では、タイムアウトになる前に撮影者情報が取得されている。この場合、その後にＳＷ２（６４）がＯＮになったときに、露光・現像処理を開始し、露光・現像処理が完了すると、画像データの記録処理を開始する。その際、撮影した画像データに撮影者情報を付加したり、撮影者情報に応じて格納フォルダを切り替えたりする。
図１１（ｂ）の例では、ＳＷ２（６４）がＯＮになったとき、まだ撮影者情報の取得が完了していないが、タイムアウトになる前に撮影者情報の取得が完了している。この場合、撮影者情報の取得が完了したタイミングで露光・現像処理を開始し、露光・現像処理が完了すると、画像データの記録処理を開始する。その際、撮影した画像データに撮影者情報を付加したり、格納フォルダを切り替えたりする。
【００３９】
図１１（ｃ）、（ｄ）の例では、撮影者情報が取得できずにタイムアウトしている。この場合、ＳＷ２（６４）の状況に限らず、露光・現像処理、画像データの記録処理は行わない。
このように、撮影者情報の取得処理の開始と同時にタイマーを起動すると、撮影者情報の取得処理に時間を要する場合は、その取得成功率は低下するが、撮影者取得の処理時間に上限を持たせることができ、操作性の向上、省電力化を図ることが可能である。
【００４０】
次に、応用例として、ＳＷ１（６２）のＯＮ／ＯＦＦが繰り返し行われた場合を説明する。
図１２は、ＳＷ１（６２）のＯＮ／ＯＦＦが繰り返し行われた場合の撮像装置１の「撮影者情報取得優先モード」における処理を示すシーケンス図である。図７のシーケンス図と同様に、撮像装置１における撮影時の処理を、露光・現像処理、記録処理、撮影者情報の取得処理の３つに分けて記載し、縦方向は時間軸を表している。
【００４１】
図１２（ａ）に示すように、最初にＳＷ１（６２）がＯＮになったときに開始した撮影者情報の取得処理中に、ＳＷ１（６２）がＯＦＦ、ＯＮになっている。この場合、最初にＳＷ１（６２）がＯＮになったことにより開始された撮影者情報の取得処理を中断することなく継続する。このように撮影者情報の取得処理を再開しないことで、効率の良い処理が可能となる。
【００４２】
図１２（ｂ）の例では、ＳＷ１（６２）がＯＮになったとき、すなわち撮影者情報の取得処理の開始時にタイマーを起動するようにしている。最初にＳＷ１（６２）がＯＮになったときに開始した撮影者情報の取得処理中に、ＳＷ１（６２）がＯＦＦ、ＯＮになっている。この場合、再度ＳＷ１（６２）がＯＮになったときにタイマーのリセット及び再起動だけを行うことで、処理の効率化を図ることができる。
【００４３】
次に、応用例として、ＳＷ２（６４）がＯＮになったときに撮影者情報の取得処理を開始するようにしてもよい。
図１３（ａ）、（ｂ）は、撮像装置１の「レリーズ優先モード」における処理を示すシーケンス図である。図１３（ｃ）は、撮像装置１の「撮影者情報取得優先モード」における処理を示すシーケンス図である。図７のシーケンス図と同様に、撮像装置１における撮影時の処理を、露光・現像処理、記録処理、撮影者情報の取得処理の３つに分けて記載し、縦方向は時間軸を表している。
撮影者情報の取得処理は、ＳＷ２（６４）がＯＮになったときに開始される。そして、露光・現像処理が完了したときに、まだ撮影者情報の取得が完了していない場合、露光・現像処理が完了したタイミングで撮影者情報取得用のタイマーを起動する。
【００４４】
図１３（ａ）の例では、タイムアウトになる前に撮影者情報が取得されている。この場合、撮影者情報の取得が完了すると、画像データの記録処理を開始する。その際、撮影した画像データに撮影者情報を付加したり、撮影者情報に応じて格納フォルダを切り替えたりする。
図１３（ｂ）の例では、撮影者情報が取得できずにタイムアウトしている。この場合、タイムアウトのタイミングで、予め従来の方式で設定されたもの、例えば不揮発性メモリ５６に格納されている情報を用いて画像データの記録処理を行う。もしくは、情報取得の失敗を示す情報を用いてもよい。
【００４５】
図１３（ｃ）の例は、撮影者情報が取得できずにタイムアウトになっている。この場合、撮影者情報が取得できなかったために、画像データの記録処理は行わない。
【００４６】
以上述べた応用例以外にも、一度撮影を行ったときに撮影者情報を取得したら、次回撮影時には撮影者情報の再取得をせず、前回撮影時の撮影者情報をそのまま用いることもできる。この場合、一度撮影者情報を取得したら、その後一定時間は定期的に撮影者が携帯するデータ送受信機２に対して、撮影者が変更されていないかの確認用通信を行う。前回撮影時から一定時間内で、かつ撮影者が変わっていないと判断された場合、撮影時に撮影者情報の取得処理の省略が可能であり、撮影者情報の取得処理によって撮影処理を制限する必要がなくなる。
【００４７】
また、ＳＷ２（６４）がＯＮになっている間に連写撮影を行う場合、連写撮影中は撮影者情報の再取得を行わず、撮影開始時に取得した撮影者情報を、各撮影画像の記録時に用いる。ＳＷ２（６４）がＯＮになっている間は同一の撮影者と考えられるため、撮影毎に撮影者情報を再取得する必要はなく、処理の効率化を図ることができる。
【００４８】
また、人体通信による撮影者情報の取得中、取得成功、取得失敗の状況を示すアイコンや、取得した撮影者情報を表示部５４や画像表示部２８に表示することで、撮影者は状況を確認することができる。撮影者情報の取得状態によって撮影処理に制限を設ける場合等は、撮影者はこの表示内容により状況を把握できるので、違和感なく使用することができる。
図１４、図１５に、アイコン及び撮影者情報の表示例を示す。図１４（ａ）はアイコンの例を示す。
図１４（ｂ）は表示部５４のアイコンの表示例である。表示部５４には、シャッタースピード、絞り値、露出補正等が表示される。また、表示部５４はアイコン表示エリア５０１を有し、ここに撮影者情報の取得状況に応じて、図１４（ａ）に示したアイコンを表示する。
図１５（ａ）は、光学ファインダ１０８内に設けられた表示部５４のアイコンの表示例である。表示部５４はアイコン表示エリア５０２を有し、ここに撮影者情報の取得状況に応じて、図１４（ａ）に示したアイコンを表示する。
図１５（ｃ）は、画像表示部２８のアイコン及び撮影者情報の表示例である。撮影後に撮影した画像を一定時間表示する場合、アイコン表示エリア５０３にアイコンを表示し、撮影者情報表示エリア５０４に画像データの記録に用いられた撮影者情報を表示する。
【００４９】
図１６を参照して、表示部５４、画像表示部２８に表示するタイミングと表示内容について説明する。図１６（ａ）、（ｂ）では、図７（ａ）、（ｄ）と同じ状況を例として説明する。
撮影者情報の取得処理は、ＳＷ１（６２）がＯＮになったときに開始される。このとき、表示部５４のアイコン表示エリア５０１、５０２に「取得中」を示すアイコンを表示する。
図１６（ａ）の例では、ＳＷ２（６４）がＯＮになったとき、既に撮影者情報の取得が完了している。そこで、撮影者情報の取得が完了したタイミングで、表示部５４のアイコン表示エリア５０１、５０２に「取得成功」を示すアイコンを表示する。表示部５４の一部の機能は光学ファインダ１０８内に設けられているので、撮影者は光学ファインダ１０８の使用中でも、アイコンにより撮影者情報の取得処理が開始されたことと、取得が完了したことを認識することができる。
この場合、露光・現像処理が完了すると、画像データの記録処理を開始する。このとき、画像表示部２８に撮影した画像を一定時間表示する場合、アイコン表示エリア５０３に「取得成功」を示すアイコンを表示し、撮影者情報表示エリア５０４に撮影者情報を表示する。撮影者はこの表示を見ることで、撮影者情報の取得に成功したこと、撮影した画像データの記録に用いられた撮影者情報を確認することができる。
【００５０】
図１６（ｂ）の例では、露光・現像処理が完了したときに、まだ撮影者情報の取得が完了していない。この場合、露光・現像処理が完了したタイミングで撮影者情報取得用のタイマーを起動する。撮影者情報が取得できずにタイムアウトしているので、このタイミングで、表示部５４のアイコン表示エリア５０１、５０２に「取得失敗」を示すアイコンを表示する。
この場合、予め従来の方式で設定されたもの、例えば不揮発性メモリ５６に格納されている情報を用いて画像データの記録を行う。このとき、画像表示部２８に撮影した画像を一定時間表示する場合、アイコン表示エリア５０３に「取得失敗」を示すアイコンを表示し、撮影者情報表示エリア５０４に例えば不揮発性メモリ５６に格納されている情報を表示する。撮影者はこの表示を見ることで、撮影者情報の取得に失敗したこと、撮影した画像データの記録に用いられた撮影者情報を確認することができる。
【００５１】
（第２の実施形態）
次に、第２の実施形態に係る撮像システムについて説明する。撮像装置１及びデータ送受信機２の構成は第１の実施形態と同様であり、その説明は省略する。
第２の実施形態において、画像再生時に、撮像装置１は、ユーザが携帯するデータ送受信機２から、人体通信により該データ送受信機２が保持する氏名等のユーザに関する情報を取得する。そして、取得したユーザに関する情報を閲覧者情報とし、この閲覧者情報を用いて画像を再生する。具体的には、閲覧者情報に応じて再生する画像を切り替える等の機能を提供する。
【００５２】
第２の実施形態においては、人体通信用電極は、グリップ部以外、例えば再生ボタン１０４に配置してもよい。画像再生時に再生ボタン１０４に触れている人物が閲覧者である可能性が極めて高いからである。
【００５３】
以下、第２の実施形態に係る撮像システムにおける、人体通信による閲覧者情報の取得処理について説明する。
図１７は、撮像装置１の処理を示すフローチャートである。図１７のフローチャートに示す処理は、撮像装置１のシステム制御部５０がプログラムを実行することにより実現される。
システム制御部５０は、再生ボタン１０４の押下により再生スイッチがＯＮになったことを検知すると（ステップＳ４０１）、人体通信による閲覧者情報の取得処理を開始し（ステップ４３０２）、閲覧者情報取得用のタイマーを起動する（ステップＳ４０３）。タイマー起動後、閲覧者情報の取得が完了しているか否かを判定し（ステップＳ４０４）、完了している場合、画像を表示する（ステップＳ４０６）。ここで表示する画像は、メモリ３０或いは記録媒体２００に記録されている画像データの中で、画像データに付加されている撮影者情報が取得した閲覧者情報に一致する画像とする。タイマー起動後、閲覧者情報の取得が完了せずにタイムアウトした場合（ステップＳ４０５）、画像の表示を行わない。
【００５４】
図１８は、撮像装置１の処理を示すシーケンス図である。図１８に示すシーケンス図は、分かり易くするために、撮像装置１における再生時の処理を、画像表示処理、閲覧者情報の取得処理の２つに分けて記載している。なお、本シーケンス図の縦方向は時間軸を表している。
画像表示処理では、画像データをメモリ３０或いは記録媒体２００から読み出して画像表示部２８に表示する。
閲覧者情報の取得処理では、第１の実施形態の撮影者情報の取得処理と同様に、人体通信部１１０を制御し、撮影者が携帯するデータ送受信機２から閲覧者情報を取得する。閲覧者情報の取得処理は、再生スイッチがＯＮになったときに開始され、同時に閲覧者情報取得用のタイマーを起動する。人体通信による閲覧者情報の取得に要する処理時間は、通信確立処理の実施や、閲覧者の人体通信機器との接触状況、人体通信モジュールの性能等により様々な長さとなることが考えられる。
【００５５】
図１８（ａ）の例では、タイムアウトの前に閲覧者情報が取得されている。この場合、画像表示処理を開始し、メモリ３０或いは記録媒体２００に記録されている画像データの中で、画像データに付加されている撮影者情報が取得した閲覧者情報に一致する画像を検索して、画像表示部２８に表示する。
図１８（ｂ）の例では、閲覧者情報が取得できずにタイムアウトしている。この場合、閲覧者情報が取得できなかったために。画像表示処理は行わない。
このように、再生ボタン１０４の押下により再生スイッチがＯＮになったときに、撮像装置に触れている人物から閲覧者情報を取得することで、画像を再生しようとしている人物の情報を的確に取得することが可能である。閲覧者は自分が撮影した画像だけを再生することが可能であり、一台の撮像装置を複数のユーザが使用する場合は、自分が撮影した画像を探す手間が省ける。
【００５６】
また、人体通信による閲覧者情報の取得中、取得成功、取得失敗の状況を示すアイコンや、取得した閲覧者情報を表示部５４や画像表示部２８に表示することで、閲覧者は状況を確認することができ、違和感なく使用することができる。
図１９は、画像表示部２８のアイコン及び閲覧者情報の表示例である。アイコンの例は、第１の実施形態で説明した図１４（ａ）に示したものと同じである。
図１９（ａ）、（ｂ）は、それぞれ閲覧者情報の取得中と取得失敗時の表示例であり、どちらも状況を示すアイコンと文字列を表示する。図１９（ｃ）は、閲覧者情報の取得成功時の表示例であり、表示した画像の上部に位置するアイコン表示エリア５０３にアイコンを表示し、撮影者情報表示エリア５０４に表示している画像データの撮影者、すなわち閲覧者情報を表示する。
【００５７】
図２０を参照して、画像表示部２８に表示するタイミングと表示内容について説明する。図２０（ａ）、（ｂ）は、図１８（ａ）、（ｂ）と同じ状況を例として説明する。
閲覧者情報の取得処理は、再生スイッチがＯＮになったときに開始される。このとき、画像表示部２８に「取得中」を示すアイコンと文字列を表示する。
図２０（ａ）の例では、タイムアウトの前に閲覧者情報が取得されている。この場合、画像表示処理を開始し、メモリ３０或いは記録媒体２００に記録されている画像データの中で、画像データに付加されている撮影者情報が取得した閲覧者情報に一致する画像を検索して、画像表示部２８に表示する。このとき、図１９（ｃ）に示すように、画像表示部２８のアイコン表示エリア５０３に「取得成功」を示すアイコンを表示し、撮影者情報表示エリア５０４に閲覧者情報を表示する。閲覧者はこの表示を見ることで、閲覧者情報の取得が成功したこと、現在表示されている画像の撮影者が誰であるかを認識することができる。
【００５８】
図２０（ｂ）の例では、閲覧者情報が取得できずにタイムアウトしている。この場合、画像が表示されない。このとき、図１９（ｂ）に示すように、画像表示部２８に、「取得失敗」を示すアイコンと文字列を表示する。撮影者はこの表示を見ることで、閲覧者情報の取得が失敗したために画像が表示されないと確認することができる。
【００５９】
以上、本発明の好ましい実施形態について説明したが、本発明はこれらの実施形態に限定されず、その要旨の範囲内で種々の変形及び変更が可能である。
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2015046825.tif 000003
【図２】
2015046825.tif 000004
【図３】
2015046825.tif 000005
【図４】
2015046825.tif 000006
【図５】
2015046825.tif 000007
【図６】
2015046825.tif 000008
【図７】
2015046825.tif 000009
【図８】
2015046825.tif 000010
【図９】
2015046825.tif 000011
【図１０】
2015046825.tif 000012
【図１１】
2015046825.tif 000013
【図１２】
2015046825.tif 000014
【図１３】
2015046825.tif 000015
【図１４】
2015046825.tif 000016
【図１５】
2015046825.tif 000017
【図１６】
2015046825.tif 000018
【図１７】
2015046825.tif 000019
【図１８】
2015046825.tif 000020
【図１９】
2015046825.tif 000021
【図２０】
2015046825.tif 000022